(57)【要約】【課題】  ＩＤ機器が第三者に不正使用されてもそれを判別でき、確認された本人の属性によりファシリティ内の様々なサブシステムが連携動作でき、ＩＤ機器をリモコンとしても使うことができ、取得できるすべての情報を統合活用してファシリティの動作・運用・保守が容易に行えるファシリティ管理システムを構築する。【解決手段】  ファシリティ総合管理監視ステーションと、  個人認証サブシステムを含む複数のサブシステムと、  ファシリティ内の全管理領域を網羅するように分割された複数領域のそれぞれに配置され、ファシリティ利用者が携帯するＩＤ機器との間で双方向通信を行う複数のアクセスポートがネットワークを介して接続されたことを特徴とするファシリティ管理システム。【選択図】                    図３
2005149284.tif 000002
【特許請求の範囲】
【請求項１】
ファシリティ総合管理監視ステーションと、
個人認証サブシステムを含む複数のサブシステムと、
ファシリティ内の全管理領域を網羅するように分割された複数領域のそれぞれに配置され、ファシリティ利用者が携帯するＩＤ機器との間で双方向通信を行う複数のアクセスポート、
がネットワークを介して接続されたことを特徴とするファシリティ管理システム。
【請求項２】
前記ＩＤ機器には、グローバルユニークな送信元アドレスとファシリティ利用者の識別データとが格納されていることを特徴とする請求項１記載のファシリティ管理システム。
【請求項３】
前記ＩＤ機器のグローバルユニークな送信元アドレスは書き換え不可能な形態で格納され、ファシリティ利用者の識別データは書き換え可能な形態で格納されていることを特徴とする請求項２記載のファシリティ管理システム。
【請求項４】
前記グローバルユニークな送信元アドレスはＩＰｖ６であることを特徴とする請求項２または請求項３記載のファシリティ管理システム。
【請求項５】
前記ＩＤ機器は、アクセスポートの通信範囲に入ると自律的に通信を開始する通信機能を有することを特徴とする請求項１記載のファシリティ管理システム。
【請求項６】
前記ＩＤ機器は表示部を有し、この表示部にファシリティ利用者の氏名・所属・顔写真の少なくともいずれかを表示させることを特徴とする請求項１記載のファシリティ管理システム。
【請求項７】
前記個人認証サブシステムは、ＩＤ機器から送られてきた送信元アドレスと予め登録管理されている送信元アドレスを照合する第１の認証ステップとＩＤ機器から送られてきたＰＩＮと登録管理されているＰＩＮを照合する第２の認証ステップを実行して、いずれも合致すれば利用者本人と判断することを特徴とする請求項１記載のファシリティ管理システム。
【請求項８】
ファシリティ内の各種ファシリティ機器は、個人認証が確定したＩＤ機器を携帯する利用者の属性に応じて連携して制御されることを特徴とする請求項１記載のファシリティ管理システム。
【請求項９】
前記ＩＤ機器はキー入力部を有し、ファシリティ利用者は、このキー入力部を介して各種ファシリティ機器を操作することを特徴とする請求項１記載のファシリティ管理システム。
【請求項１０】
前記サブシステムとして、ＩＤ機器とアクセスポートとの通信状況からＩＤ機器を携帯する利用者の位置を特定するとともに、利用者が移動した場合にはその位置を追跡して逐次記録する個人トラッキングサブシステムを含むことを特徴とする請求項１記載のファシリティ管理システム。
【請求項１１】
前記個人トラッキングサブシステムの利用者位置特定結果に基づき、該当利用者近傍のファシリティ機器に対する個別操作を許可することを特徴とする請求項１０記載のファシリティ管理システム。
【請求項１２】
前記個人トラッキングサブシステムにより利用者の動線トラッキングデータを収集し、これら動線トラッキングデータの収集結果に基づきレイアウトを変更することを特徴とする請求項１０記載のファシリティ管理システム。
【発明の詳細な説明】
【技術分野】
【０００１】
本発明はファシリティ管理システムに関するものであり、詳しくは、設備・電力・防災・セキュリティーなど事業場構内における各種の管理を統括的に行うためのシステムに関するものである。
【背景技術】
【０００２】
特許文献１には、利用者の個人情報や位置情報に基づいて、設備機器やエレベータ等の運転パターンやスケジュールを操作するビル管理システムの構成が開示されている。
【０００３】
特許文献２には、人の多少や個人の好みに応じてきめの細かいジュールを操作するビル管理システムの構成が開示されている。
【０００４】
特許文献３には、正規の利用者以外の者が特定の場所に侵入することができず、正規の利用者は、通常の識別手段を使用するだけで、エレベータを利用する度に行き先階をボタンで指定する必要がなく、かつ、分り易い行き先案内を受けることができるようにしたビル管理システムの構成が開示されている。
【０００５】
【特許文献１】特開平８−８７８６７
【０００６】
【特許文献２】特開平９−１１６９７３
【０００７】
【特許文献３】特開２０００−２３４６７４
【０００８】
図５は、従来の事業場構内におけるファシリティ管理システムの概念図である。図５において、ホストコンピュータ１には、それぞれゲートウェイ２1〜２6を介して空調３1、照明３2、セキュリティ３3、防災３4、エレベータ３5、受変電３6などの各制御系統がサブシステムとしてバス接続されている。
【０００９】
事業場構内への人の入退出にかかわるセキュリティシステム３3は、入口に電気錠を設置し、入場時に例えば磁気記録機能を有したＩＤ機器（磁気カード等）をカード読取り装置に読込ませ、その磁気記録データが予め入場を許可された人である場合に、電気錠を開錠することで行われている。
【００１０】
事業場構内に入場した人が目的とする活動を行う際に必要となるファシリティに関連した空調３1、照明３2、セキュリティ３3、防災３4、エレベータ３5、受変電３6、衛生、放送、電話、情報、ネットワーク、監視カメラ、就業管理等の様々なサブシステムが、それぞれ独立したシステムとして設計構築されている。
【００１１】
そして、事業場構内に入場した人が照明や空調を作動させる場合には、手動で運転を開始させるか、予めスケジューリングをしておいて設定して所定の時刻になったときに運転を開始するようにしていた。
【００１２】
ところが、このような従来の構成では、事業場構内に入場した人がファシリティ環境に不慣れな場合、照明や空調を所望どおりに作動させるまでには相当の時間を費やすことが多い。
【００１３】
特許文献１〜特許文献３は、いずれも、このような従来のファシリティ管理システムが内包する問題点の解決を意図しているものといえる。すなわち、これらは、利用者の視点からは利用者の快適性を改善し、ファシリティ管理の視点からは施設設備の稼動効率を改善するものである。
【発明の開示】
【発明が解決しようとする課題】
【００１４】
しかし、これら特許文献１〜特許文献３に開示されているシステム構成の場合にも、以下のような問題点がある。
【００１５】
ＩＤ機器を用いて本人確認を行うセキュリティ管理では、本人以外の第三者が不正にＩＤ機器を使用した場合には、その目的を果たせない。
【００１６】
ＩＤ機器による本人認識と例えば入場後に照明を点灯させるようなファシリティ内の各種サブシステムとを連携させる場合には、ＩＤ機器の本人認識サブシステムと照明サブシステムの相互間で通信できるようにお互いの通信手順を翻訳するためにゲートウェイを開発しなければならず、連携するサブシステムが増えるにしたがって開発しなければならないゲートウェイの種類が増加してシステム構成が複雑になり、コスト的にも技術的にも困難度は増大する。
【００１７】
また、これらＩＤ機器は、磁気カードやＲＦＩＤカードのように一般にパッシブ型であり、端末側からシステム側への通信起動ができない。
【００１８】
さらに、利用者の属性（ＶＩＰ、従業員、ゲスト、業者、嗜好等）に応じた連携動作を実施するためには、利用者属性情報データベースをもとにその都度各サブシステムのプログラムを開発しなければならず、実現には多大の困難が予想される。
【００１９】
本発明は、これらの従来の問題点を解決するものであり、その目的は、ＩＤ機器が第三者に不正使用されても、それを判別できるような本人確認識別を行うことにある。
他の目的は、確認された本人の属性により、ファシリティ内の様々なサブシステムが連携動作できるしくみを実現することにある。
また他の目的は、ＩＤ機器をアクティブ型とし、例えばファシリティ内の照明、空調等のON/OFFや温度設定指示を発信するリモコンとしても使えるようにすることにある。
さらに他の目的は、取得できるすべての情報を統合活用してファシリティの動作・運用・保守が容易に行えるファシリティ管理システムを構築することにより、ファシリティの省エネルギーが図れ、効果的なレイアウト、セキュリティ対策などをより発展させることにある。
【課題を解決するための手段】
【００２０】
このような課題を達成するために、本発明のうち請求項１記載の発明は、
ファシリティ総合管理監視ステーションと、
個人認証サブシステムを含む複数のサブシステムと、
ファシリティ内の全管理領域を網羅するように分割された複数領域のそれぞれに配置され、ファシリティ利用者が携帯するＩＤ機器との間で双方向通信を行う複数のアクセスポート、
がネットワークを介して接続されたことを特徴とするファシリティ管理システムである。
【００２１】
請求項２記載の発明は、請求項１記載のファシリティ管理システムにおいて、
前記ＩＤ機器には、グローバルユニークな送信元アドレスとファシリティ利用者の識別データとが格納されていることを特徴とする。
【００２２】
請求項３記載の発明は、請求項２記載のファシリティ管理システムにおいて、
前記ＩＤ機器のグローバルユニークな送信元アドレスは書き換え不可能な形態で格納され、ファシリティ利用者の識別データは書き換え可能な形態で格納されていることを特徴とする。
【００２３】
請求項４記載の発明は、請求項２または請求項３記載のファシリティ管理システムにおいて、
前記グローバルユニークな送信元アドレスはＩＰｖ６であることを特徴とする。
【００２４】
請求項５記載の発明は、請求項１記載のファシリティ管理システムにおいて、
前記ＩＤ機器は、アクセスポートの通信範囲に入ると自律的に通信を開始する通信機能を有することを特徴とする。
【００２５】
請求項６記載の発明は、請求項１記載のファシリティ管理システムにおいて、
前記ＩＤ機器は表示部を有し、この表示部にファシリティ利用者の氏名・所属・顔写真の少なくともいずれかを表示させることを特徴とする。
【００２６】
請求項７記載の発明は、請求項１記載のファシリティ管理システムにおいて、
前記個人認証サブシステムは、ＩＤ機器から送られてきた送信元アドレスと予め登録管理されている送信元アドレスを照合する第１の認証ステップとＩＤ機器から送られてきたＰＩＮと登録管理されているＰＩＮを照合する第２の認証ステップを実行して、いずれも合致すれば利用者本人と判断することを特徴とする。
【００２７】
請求項８記載の発明は、請求項１記載のファシリティ管理システムにおいて、
ファシリティ内の各種ファシリティ機器は、個人認証が確定したＩＤ機器を携帯する利用者の属性に応じて連携して制御されることを特徴とする。
【００２８】
請求項９記載の発明は、請求項１記載のファシリティ管理システムにおいて、
前記ＩＤ機器はキー入力部を有し、ファシリティ利用者は、このキー入力部を介して各種ファシリティ機器を操作することを特徴とする。
【００２９】
請求項１０記載の発明は、請求項１記載のファシリティ管理システムにおいて、
前記サブシステムとして、ＩＤ機器とアクセスポートとの通信状況からＩＤ機器を携帯する利用者の位置を特定するとともに、利用者が移動した場合にはその位置を追跡して逐次記録する個人トラッキングサブシステムを含むことを特徴とする。
【００３０】
請求項１１記載の発明は、請求項１０記載のファシリティ管理システムにおいて、
前記個人トラッキングサブシステムの利用者位置特定結果に基づき、該当利用者近傍のファシリティ機器に対する個別操作を許可することを特徴とする。
【００３１】
請求項１２記載の発明は、請求項１０記載のファシリティ管理システムにおいて、
前記個人トラッキングサブシステムにより利用者の動線トラッキングデータを収集し、これら動線トラッキングデータの収集結果に基づきレイアウトを変更することを特徴とする。
【発明の効果】
【００３２】
本発明によれば、ＩＤ機器の第三者による不正使用を判別できる。
【００３３】
また、確認された本人の属性により、ファシリティ内の様々なサブシステムを連携動作させることができる。
【００３４】
また、利用者が形態するＩＤ機器を、例えばファシリティ内の照明、空調等のON/OFFや温度設定指示を発信するリモコンとしても使うことができる。
【００３５】
さらに、取得したすべての情報を統合活用することによりファシリティ機器の動作・運用・保守が容易に行えるファシリティ管理システムを構築でき、ファシリティ内の省エネルギーが図れ、効果的なレイアウトへの変更や、セキュリティ対策などが実現できる。
【発明を実施するための最良の形態】
【００３６】
以下、本発明を図面を用いて詳細に説明する。図１は本発明で用いるＩＤ機器４の一実施例を示す外観表面図、図２は図１のブロック図である。ＩＤ機器４は各ファシリティ利用者が所持するものであって、例えばグローバルユニークなＩＰｖ６アドレスを有している。
【００３７】
ＩＤ機器４の表面には、キー入力部５としてのテンキーおよびＯＮ/ＯＦＦスイッチと、文字・記号・数字・画像・写真などの表示部６が設けられている。
【００３８】
ＩＤ機器４は、赤外線、無線あるいは有線等による双方向通信機能を有していて、通信制御部７により伝送形式に適応した通信制御が行われる。この通信制御部７には、必要に応じて内蔵型のアンテナ８が接続される。また、通信制御部７には、ＩＤ機器４を所持携帯する利用者を特定するための社員番号などの最小限のＩＤデータと、ＩＤ機器４毎に個別に通信送信元アドレスとして割り当てられている例えばグローバルユニークなＩＰｖ６アドレスデータを格納するＩＤ/アドレス記憶部９も接続されている。これらキー入力部５、表示部６および通信制御部７は中央処理装置１０に接続されている。中央処理装置１０には、一連の処理動作プログラムなどの固定データを格納するＲＯＭ１１および各種の可変データを格納するＲＡＭ１２も接続されている。このように構成されるＩＤ機器４は、電池１３で駆動される。電池１３は、リチウム電池のような一次電池のみを用いてもよいし、充電可能な二次電池や太陽電池などを併用してもよい。
【００３９】
図３は、このように構成されるＩＤ機器４を用いた本発明のファシリティ管理システムの概念図である。利用者は、携帯するＩＤ機器４を介して最寄のアクセスポート１４との間で赤外線、無線あるいは有線で双方向通信を行い、その通信情報をネットワーク１５へ転送する。
【００４０】
ネットワーク１５は、アクセスポート１４の他、ファシリティ内のファシリティ総合管理監視ステーション１６および各種のサブシステム１７〜２４に対しても、例えばＩＰｖ６プロトコルを共通に使用して有線７や無線ＬＡＮによる通信を行うことができるものである。
【００４１】
ファシリティ総合管理監視ステーション１６は、ヒューマン・マシン・インタフェースやファシリティ内の機器、設備を管理・制御するための各種サブシステム群を管理するとともに監視する。
【００４２】
個人トラッキングサブシステム１７は、ＩＤ機器４とアクセスポート１４との通信状況からＩＤ機器４を携帯する利用者の位置を特定するとともに、利用者が移動した場合にはその位置を追跡して逐次記録する。
【００４３】
個人認証サブシステム１８は、ＩＤ機器４を携帯する利用者が登録されている者か否かを認証するものであり、ファシリティ利用者に関する氏名、性別、年齢、所属、職位、顔写真、作業場所、資格、情報アクセスレベル、立ち入り可能エリア等の属性情報を含む個人属性データベース１９を備えている。
【００４４】
入退出管理サブシステム２０は、ファシリティ利用者の入退出に伴うドアの開閉や入退出時刻の記録管理などを行う。
【００４５】
照明制御サブシステム２１は、ファシリティ内各部の照明制御を行う。
【００４６】
空調制御サブシステム２２は、ファシリティ内各部の空調制御を行う。
【００４７】
エレベータ制御サブシステム２３は、ファシリティ内各部に設置されているエレベータの運転制御を行う。
【００４８】
案内表示サブシステム２４は、ファシリティ利用者に対して行き先などの各種案内表示を行う。
【００４９】
情報通信サブシステム２５は、ファシリティ内のＰＣや電話を含む情報機器相互間における情報授受のための通信制御を行う。
【００５０】
具体的な動作を説明する。
ファシリティ利用者は、入場時毎に、自身が携帯するＩＤ機器４のテンキーにより、自身が予め設定したＰＩＮ(Personal Identification Number)を入力し、入場ゲートのアクセスポート１４を経由して個人認証サブシステム１８に対し個人属性データベース１９との照合に基づく認証を求める。ここで、ＩＤ機器４がワイアレスのアドホック双方向通信機能を備えている場合には、アクセスポート１４の通信範囲に入ると自律的に通信を開始し、アドレスもネットワーク上で唯一決定される、例えばIEEE802.15.4のＭＡＣ層の上にＩＰｖ６のネットワーク層を使うことで実現できる。
【００５１】
個人認証サブシステム１８は、ＩＤ機器４から送られてきた送信元アドレス（例えばＩＰｖ６アドレス）と個人属性データベース１９に登録管理されている送信元アドレスを照合し、合致したものがあれば第１ステップの認証を完了する。次に、ＩＤ機器４から送られてきたＰＩＮと登録管理されているＰＩＮとの照合を行い、合致すれば利用者本人と判断して第２ステップの認証を完了し、ゲートの電気錠を開錠する。このＩＤ機器４には、グローバルユニークな例えばＩＰｖ６アドレス情報のみが書き換え不能な記憶素子に書き込まれているため、このＩＤ機器４が第三者に渡ったとしても、ＰＩＮを含む個人属性情報は保護できる。
【００５２】
個人属性データベース１９の個人属性データに基づき、その利用者のファシリティ内における作業場所を特定する。そして、必要があれば、入口からその利用者の作業場所に至るまでの照明、エレベータ等を動作状態とし、さらには、その利用者の作業場所における空調等の諸設備を、利用者が予め希望する動作状態（例えば空調の設定温度は26℃というように）にする。なお、これら照明や空調を自動的に動作状態にするのではなく、利用者の所持するＩＤ機器４の表示部６を見ながらキー入力部５を操作することにより、その時点における利用者の状況（風邪気味であるとか、小走りで入場してきた等）に合うようにリモコン操作することもできる。
【００５３】
入場後のファシリティ内における利用者の動きは、個人トラッキングサブシステム１７を介してファシリティ総合管理監視ステーション１６が把握する。例えば図４に示すように、ファシリティ内の全管理領域を網羅するように複数の領域に分割して各領域毎にそれぞれアクセスポート１４を設置しておくことにより、利用者が所持携帯するＩＤ機器４とのワイアレスのアドホック双方向通信によってトラッキングが可能であり、ファシリティ総合管理監視ステーション１６は利用者の現在地を常に把握できることから、各サブシステムに対して各利用者の現在地データを逐次提供できる。
【００５４】
この結果、利用者がＩＤ機器４のキー入力部５から照明制御サブシステム２１に割り当てられている所定の数字キー（例えば１）とON/OFFキーを操作することで自分の周囲の照明のON/OFFの制御を行うことができ、空調制御サブシステム２２に割り当てられている所定の数字キー（例えば２）を押した後に空調の設定温度をテンキーから入力することで自分の周囲の空調温度を調節することができる。
【００５５】
これらの制御は、個人認証サブシステム１８と連動させることができるため、権限のないエリアの調節を禁じたり、調節する種類や範囲を制限することができる。例えばエレベータ制御サブシステム２３とも連動させることにより、エレベータに乗る場合、自分のオフィスがある階には停止ボタンを押さなくても止めることができる。
【００５６】
またファシリティ内に不案内な来訪者に対しては、案内表示サブシステム２４と連動させることで、各来訪者毎に、個別に行き先案内表示を行うことができる。この場合、来訪者受付デスクで来訪者を特定できる最小限の個人識別データ（例えば会社名と氏名）とファシリティ内の特定訪問先位置データ（例えば応接室や商談室の部屋番号）が入力されている来訪者専用のＩＤ機器４を貸与し、退出時にＩＤ機器４を回収するようにする。
【００５７】
また、個人トラッキングサブシステム１７が収集する各利用者の現在位置データと個人認証サブシステム１８の照合データとに基づき、ある管理単位のエリア最終退出者を確実に確認できるので、さらに照明制御サブシステム２１と関連づけることによりある管理単位の照明を自動的に消灯でき、空調制御サブシステム２２と関連づけることによりある管理単位の空調を自動的に切ることができ、入退出管理サブシステム２０と関連づけることによりある管理単位の施錠が自動的にできる。これらにより、誰もいない管理単位エリアの照明、空調をOFFとすることで、省エネルギーの効果も得られる。
【００５８】
また、ＩＤ機器４の紛失や盗難が発生した場合には、個人トラッキングサブシステム１７により、該当するＩＤ機器４がどの場所にあるかを特定でき、その回収に効果を発揮する。
【００５９】
また、ＩＤ機器４の表示部６には、双方向通信により、そのＩＤ機器４が持っている固有の識別符号（例えば従業員番号）をＩＤ機器の通信アドレス情報（例えばＩＰｖ６）を用いて個人認証サブシステムに問合せることで、所属、氏名、顔写真等を表示させることができることから、社員証としても使用できる。
【００６０】
また、個人トラッキングサブシステム１７と個人認証サブシステム１８を人事勤怠システムと連動することで、出勤/退勤データログを作成できる。
【００６１】
また、情報システムの認証として、ログインする際に、ユーザ名とパスワードだけの認証ではなく使用者ログイン作業場所の位置情報とＩＤがログイン名と一致するかどうかをもチェックすることで、より正確な本人認証ができる。
【００６２】
また、ＩＤ機器４には、例えばグローバルユニークなＩＰｖ６アドレスのような通信送信元アドレスが予め記憶されていて個人認証サブシステム１８が管理している個人属性情報とは物理的に切り離されているため、定常的な登録者以外の訪問者等の名札を含めて、一時的な登録、運用も同じシステムで同様に管理が可能である。
【００６３】
さらに、ファシリティ総合管理監視ステーション１６は、すべてのＩＤ機器４使用者の動線データや、照明・空調等設備機器の運転状況データをモニタリングにより収集することができ、オフィスレイアウトの変更や、省エネルギー運転計画立案にこれらの収集データを活かすことができる。
【図面の簡単な説明】
【００６４】
【図１】本発明で用いるＩＤ機器４の一実施例を示す外観表面図である。
【図２】図１のブロック図である。
【図３】本発明のファシリティ管理システムの概念図である。
【図４】本発明によるトラッキングの概念図である。
【図５】従来の事業場構内におけるファシリティ管理システムの概念図である。
【符号の説明】
【００６５】
４  ＩＤ機器
５  キー入力部
６  表示部
１４  アクセスポート
１５  ネットワーク
１６  ファシリティ総合管理監視ステーション
１７  個人トラッキングサブシステム
１８  個人認証サブシステム
１９  個人属性データベース
２０  入退出管理サブシステム
２１  照明制御サブシステム
２２  空調制御サブシステム
２３  エレベータ制御サブシステム
２４  案内表示サブシステム
２５  情報通信サブシステム
【図１】
2005149284.tif 000003
【図２】
2005149284.tif 000004
【図３】
2005149284.tif 000005
【図４】
2005149284.tif 000006
【図５】
2005149284.tif 000007